【事件の表示】
　特願２００４−１６４６８０「リュックサック」拒絶査定不服審判事件〔平成１７年１２月１５日出願公開、特開２００５−３４２１６８〕について、次のとおり審決する。
【結　論】
　本件審判の請求は、成り立たない。
【理　由】
１．手続の経緯
　本願は、平成１６年（２００４年）６月２日に出願された特願２００４−１６４６８０号の特許出願であって、原審における平成１６年９月１５日付けの拒絶理由通知に対し、平成１６年１１月２日付けの意見書とともに特許請求の範囲全文及び明細書全文を補正する同日付けの手続補正書が提出され、前記拒絶理由による平成１７年２月２３日付けの拒絶査定に対し、拒絶査定不服審判の請求が平成１７年３月２４日になされたものである。
　
２．本願発明
　本願発明は、平成１６年１１月２日付けの手続補正により補正された特許請求の範囲の請求項１に記載された事項により特定される次のとおりのもの（以下、これを「
本願発明
「袋内部を収納空間とした袋状をなすザック本体と、
　表面に一対のショルダーベルトを備えると共に、裏面をザック本体の背面への接続面とした背板状体とを有しており、
　ザック本体の背面を巡る縁部のうち、少なくとも、その上縁部および左右縁部に亘って、雌雄をなすスライドファスナーを構成する一方ファスナーが設けられており、
　かつ、背板状体の接続面に、この雌雄をなすスライドファスナーを構成する他方ファスナーが設けられているリュックサックであって、
　前記背板状体の左右両側部にそれぞれ設けられた第一テープと、
　前記ザック本体の左右両側面にそれぞれ設けられると共に、対応する第一テープに対しバックルを介して接続される第二テープとによって、
　前記リュックサックの両側部にそれぞれ補助接続テープが設けられるようになっており、
　しかも、この補助接続テープの長さが調整可能となっていることを特徴とするリュックサック。」
　
３．引用刊行物における記載事項
（１）原審における拒絶査定の理由に引用された刊行物であって、本願の特許出願前に頒布された特開２００４−４１３９２号公報（以下、「
引用刊行物１
「【特許請求の範囲】
　【請求項１】図６及び図９に示すように、リュックサック（Ａ）の連結ベルト（１２）［当審注：「連結ベルト（
１４
　【請求項２】図７及び図８に示すように、リュックサック（Ａ）の連結ベルト（１２）［当審注：「連結ベルト（
１４
　【請求項３】連結ベルト（１２）［当審注：「連結ベルト（
１４
「【０００１】【発明の属する技術分野】本発明はリュックサックとライフジャケット（救命胴衣）を兼用する分野となる。
　【０００２】【従来の技術】従来のライフジャケット（救命胴衣）およびリュックサックは、それぞれ単体で利用されているが、兼用したものは無い。しかし特開平９−１３１２２２にあるように、リュックサックの肩ベルトに、ＣＯ２ボンベからの浮力ガス供給形の浮袋が内蔵された浮袋兼用防災頭巾として利用するものは発案されている、しかし、最近のリュックサックに多く使用されているクッション材を、浮力材として利用した発案ではなく、バック本体も分離できない。
　【０００３】【発明が解決しようとする課題】ライフジャケット（救命胴衣）は観光船などに安全上設置が義務付けられている。また、ボート釣や磯釣りにおいても着用が必要とされているが、ライフジャケット（救命胴衣）は携帯には嵩張るので、保有していても、ついつい携帯せずに水難事故にあうことが問題視されている。
　【０００４】また、大型の観光船などでは避難救助ボートや備付のライフジャケット（救命胴衣）等があるものの、水難事故でのいざという時に、それらの設置場所や保管場所にたどり着けない場合や、それらのものが事故により破損し、使えない事が想定される。よってライフジャケット（救命胴衣）を常時身近に携帯しておくことができれば、より安全性が高まる。
　【０００５】【課題を解決するための手段】前記のように、ライフジャケット（救命胴衣）を身近に携帯できれば水難事故に対し安全性が高まる。旅行やレジャー時に携帯することが多いリュックサックに、ライフジャケット（救命胴衣）の機能を持たせれば無理なく携帯できることになる。
　【０００６】リュックサックの肩ベルト３及び背面のクッション材を浮力材５で構成する。
　【０００７】請求項１のリュックサックをライフジャケットとして利用するため、背面バック２には、十分な浮力確保と浮力バランスを人体前面に確保するために浮袋７を折りたたんで内蔵しておき、使用時に小型ＣＯ２ボンベ８より、空気を注入する。
　【０００８】請求項２のリュックサックをライフジャケットとして利用するため、また、十分な浮力確保と浮力バランスを人体前面に確保するため、背面バックには厚手の浮力を持ったクッション材を用い、バック底用クッションと繋げておく、これらは通常時は小物入れ、取外せば枕や座布団として利用できるようにしておく、また、図１２に示す様に人体装着時には、マジックテープで一体にまとめ、大きな浮力となる様にしておく。
　【０００９】請求項１および２のリュックサックは本体のバック部分とその収容物が浮力と成りえないので、連結ベルトで一連と成るクッション部の浮力部分と、分離させることが出来るように、背クッション部に取り外しが出きる留め具を用い、ファスナーと合わせて通常時は背クッション部と一体としておく。
　【００１０】【発明の実施の形態】請求項１又は２のリュックサックをライフジャケット（救命胴衣）として使用する場合、リュックサックのバック本体１は収納物が浮力材と成りえないので、連結ベルトで一連にして浮力を確保した背面クッション部６・肩ベルト３、背面バック等と分離させる。
　【００１１】請求項１のリュックサックの場合、バック本体１を分離した一連の背面クッション部６・肩ベルト３・背面バック２の背面バック２に内蔵した浮袋７に小型ＣＯ２ボンベ８よりガスを注入し、背面クッション６の両サイドを軸に背面バックが図４のように人体前面に来るように１８０度回転させ装着させる。
　【００１２】請求項２のリュックサックの場合、バック本体１を分離した一連の背面クッション部６・肩ベルト３・背面バック２、バック底用クッションの背面クッション６の両サイドを軸に一体化させた背面バック及びバック底用クッションが図５のように人体前面に来るように１８０度回転させ装着させる。
　【００１３】請求項１及び２のライフジャケット（救命胴衣）を着用し水中に浸かった場合、その浮力が働き、体からライフジャケットが上面に離れようとするので、背面クッション部６の下部に取り付けた股下用連結ベルト１３を股下に通し、前面に回した背面バック２の下部にその一辺を固定する。
　【００１４】【発明の効果】本発明は以上説明したように構成されているので、以下に記載されるような効果を奏する。
　【００１５】通常持ち歩くリュックサックがライフジャケット（救命胴衣）となりえることにより、無意識のうちにライフジャケットを（救命胴衣）を携帯できる。常に身の回りに保持できる事で、非常時に探すことなく利用できる。
　【００１６】本発明は最近のリュックサックに多く使用されるクッション材に、その特性を活かした浮力材を代用するので、かなりの浮力が確保されている。よって不足分を補う背面バック等に使用する浮力は少なくて済む。
　【００１７】前記のようにリュックサックのクッション材を浮力として利用でき、かつもともと、リュックサック自体が体に装着しやすい形態であるので、ライフジャケットを別に購入するより、安価で製作でき、利用者にとって購入しやすい。
　【００１８】請求項１の背面バック内蔵の浮袋は、通常のリュックサックとしての利用時には、背面バックの内側であるリュックサックバック本体側に収納されており、外部から保護されている状態にある。
　【００１９】請求項２のリュックサックの背面バックおよび、バック底用クッションは、キャンプや冬のスポーツ観戦などで、リュックサックから取外し、座布団、枕等に使用できるため、特別に浮力材を携帯しているという意識無く利用できる。」
　そして、引用刊行物１に添付の図１ないし図１２には、明細書の発明の詳細な説明欄に記載のリュックサックについての上記技術事項を裏付ける図が示されている。
　
　そうすると、引用刊行物１の上記摘記事項の記載及び添付図面における図示からみて、前記引用刊行物１には、次の発明（以下、これを、「
引用発明１
「バック本体１と、背面バック２と、表面に一対の肩ベルト３を備えた背面クッション６とからなり、バック本体１の背面の上縁部および左右縁部には雌雄をなすファスナー４の雌又は雄ファスナー４の一方が設けられ、また、背面クッション６の接続面の上縁部および左右縁部には前記雌又は雄ファスナー４の他方が設けられていて、前記雌雄をなすファスナー４により背面クッション６の裏面とバック本体１の背面とが接続されるようになっているリュックサックＡであって、前記バック本体１と背面バック２と背面クッション６の各クッション部には浮力材５が用いられており、さらに、前記背面クッション６の左右両側部にそれぞれ設けられた第１の連結ベルト１４の端部と、前記第１の連結ベルト１４に対応して設けられた第２の連結ベルト１４の端部とを取り外しが出きる留め具を介して接続した一連の連結ベルト１４で、肩ベルト３を備えた背面クッション部６と背面バックとを一体化して浮力を確保したリュックサックＡ」
　
（２）本願の特許出願前に頒布された特開２０００−２１０１２２号公報（以下、「
周知技術文献
「【特許請求の範囲】
　【請求項１】被収容物を収容する収容部（１０）を有するリュックサック本体（１）に、肩掛けベルト（２４）を備えた背当板（２）が設けられてなるリュックサックにおいて、前記リュックサック本体（１）と前記背当板（２）は、少なくとも一部において離間し、離間した前記リュックサック本体（１）と前記背当板（２）との間に、被保持物を保持可能な保持部（３０）を構成してなることを特徴とするリュックサック。
　【請求項２】前記リュックサック本体（１）と前記背当板（２）には、該リュックサック本体（１）と該背当板（２）とを結ぶベルト（６、７）が設けられてなり、該ベルト（６、７）は、前記リュックサック本体（１）と前記背当板（２）との離間距離を調整可能に構成されてなる請求項１記載のリュックサック。」
「【０００５】【課題を解決するための手段】上記課題を解決すべく、本発明にかかるリュックサックは、被収容物を収容する収容部１０を有するリュックサック本体１に、肩掛けベルト２４を備えた背当板２が設けられてなるリュックサックにおいて、前記リュックサック本体１と前記背当板２は、少なくとも一部において離間し、離間した前記リュックサック本体１と前記背当板２との間に、被保持物を保持可能な保持部３０を構成してなることを特徴とする。上記構成からなるリュックサックにあっては、収容部１０に収容しない物を、保持部３０に保持させることができると共に、離間したリュックサック本体１と前記背当板２とが、その間に保持部３０を構成してなるので、保持された被保持物は、リュックサック本体１と前記背当板２とで、移動が制限されることになるのである。
　【０００６】また、本発明にかかるリュックサックにあっては、請求項２記載の如く、前記リュックサック本体１と前記背当板２に、該リュックサック本体１と該背当板２とを結ぶベルト６、７が設けられてなり、該ベルト６、７が、前記リュックサック本体１と前記背当板２との離間距離を調整可能に構成されてなるものが好ましい。上記構成を採用することにより、離間距離を調節して、保持部３０に保持させた被保持物を前記リュックサック本体１と前記背当板２とで挟持させることができるのである。従って、被保持物は、より移動が制限されて、不用意な落下、紛失等が防止されることになるのである。」
「【００１６】図中、２は、前記リュック本体１と離間した背当板を示し、該背当板２は、収容部１０側に位置する平織りの布２１と、背負った際に背中に接触する側のメッシュ地２２とが、発砲ポリエチレン製のクッション材を被包した可撓性の板状体である。また、前記背当板２には、他の部分より肉厚の薄い折曲線２３が略逆Ｕ字状に形成されてなる。さらに、前記背当板２には、該背当板２の上端部と下方側部とを結ぶ肩掛けベルト２４が２本逢着されてなり、該肩掛けベルト２４の内縁側上端縁近傍には、首との当接を防止すべく、切欠が形成されてなる。しかも、両肩掛けベルト２４には、該両肩掛けベルト２４が互いに離反して、肩からリュックサック本体１がすり抜けることを防止すべく、両肩掛けベルト２４間を結び且つ両肩掛けベルト２４の離反距離を調節可能な、ベルト２５が設けられてなる。
　【００１７】図中、３は、前記背当板２と前記リュックサック本体１との下端縁を連結する底床部を示し、該底床部３は、図６に示す如く、三重構造の布状体で、後述する袋状体５の底部３４に設けられたベルト３５の挿通可能な挿通孔２６が左右の２カ所に設けられてなる二枚の布部材と、前記挿通孔２６を覆い隠し、中央部が開口した布部材とによって構成されてなる。４は、前記背当板２と前記リュックサック本体１とのそれぞれの下方側縁部を結ぶ側壁部で、該側壁部４は、通気性の良好なメッシュ地で構成されてなる。そして、前記リュックサック本体１、前記背当板２、前記底床部３及び前記側壁部４で、前記リュックサック本体１と前記背当板２との間に、保持部３０を構成してなり、前記底床部３は、被保持物の底部からの落下を防止し、前記側壁部４は、被保持物の両側からの落下を防止する構成となっている。
　【００１８】図中、６は、背当板２の上部とリュックサック本体１の上部とを結ぶ一対のベルトで、該ベルト６は互いに連結されて、前記リュック本体１と前記背当板２との必要以上の離間を防止してなる。しかも、前記ベルト６は、長さ調整が可能で、前記リュック本体１と前記背当板２との離間距離を調整可能に構成されてなる。また、７は、前記背当板２の側縁部と前記リュックサック本体１の側縁部とを結ぶ一対のベルトで、その構成は、前記ベルト６と同様である。しかも、前記ベルト７は、後述する袋状体５に設けられたループ８内を挿通し、該袋状体５の横転等を防止してなる。」
　
４．当審の判断
（１）対比及び一致点・相違点
　本願発明と上記引用発明１とを対比すると、引用刊行物１における「バック」なる用語が「バッグ（ｂａｇ）」の意味で使用されていることが明らかであることを参酌すれば、引用発明１の「バック本体１」は、本願発明の「袋内部を収納空間とした袋状をなすザック本体」に対応する。
　そしてまた、引用発明１の「一対の肩ベルト３」、「背面クッション６」、「雌雄をなすファスナー４」、「雌又は雄ファスナー４の一方」、「雌又は雄ファスナー４の他方」、「リュックサックＡ」、「前記背面クッション６の左右両側部にそれぞれ設けられた第１の連結ベルト１４」、「取り外しが出きる留め具」、「前記第１の連結ベルト１４に対応して設けられた第２の連結ベルト１４」及び「取り外しが出きる留め具を介して接続した一連の連結ベルト１４」のそれぞれが、本願発明の「一対のショルダーベルト」、「背板状体」、「雌雄をなすスライドファスナー」、「一方ファスナー」、「他方ファスナー」、「リュックサック」、「第一テープ」、「バックル」、「第二テープ」及び「補助接続テープ」のそれぞれに対応する。
　そうすると、本願発明と引用発明１とは、「袋内部を収納空間とした袋状をなすザック本体と、表面に一対のショルダーベルトを備えると共に、裏面をザック本体の背面への接続面とした背板状体とを有しており、ザック本体の背面を巡る縁部のうち、少なくとも、その上縁部および左右縁部に亘って、雌雄をなすスライドファスナーを構成する一方ファスナーが設けられており、かつ、背板状体の接続面に、この雌雄をなすスライドファスナーを構成する他方ファスナーが設けられているリュックサックであって、前記背板状体の左右両側部にそれぞれ設けられた第一テープと、対応する第一テープに対しバックルを介して接続される第二テープとによって、前記リュックサックの両側部にそれぞれ補助接続テープが設けられるようになっているリュックサック」である点で一致し、次の点で両者の構成が相違する。
　
相違点
　
（２）相違点についての検討
　リュックサック本体と背当板とが離間するようにしたリュックサックにおいて、前記背当板の左右両側部にそれぞれ設けられる第一ベルトと前記リュックサック本体の左右両側面にそれぞれ設けられる第二ベルトとを留め金具を介して接続した長さ調整可能な補助接続ベルトを前記リュックサックの両側部に設けることにより、リュックサック本体と背当板との離間を防止するとともに、リュックサック内の収納量等に応じて前記補助接続ベルトの長さを調節できるようにしておくことは、本願特許出願時の周知技術（その一例として、上記周知技術文献〔特開２０００−２１０１２２号公報〕の特に段落【００１８】の記載を参照。）である。
　そうしてみると、引用発明１に前記周知技術を付加して、本願発明の上記相違点に係る前記「第二テープがザック本体の左右両側面にそれぞれ設けられ、かつ、バックルを介して接続される第一テープと第二テープとからなるリュックサックの両側部に設けられる補助接続テープの長さが調整可能となっている」の構成を得ることは、当業者が格別の困難を要することなく容易になし得る設計事項である。
　
　そして、本願発明の奏する作用効果は、引用発明１及び周知技術から予測できる範囲内のものであって、格別のものということができない。
　
（３）まとめ
　したがって、本願発明は、引用発明１及び周知技術に基いて当業者が容易に発明をすることができたものであるから、本願発明は特許法第２９条第２項の規定により特許を受けることができない。
　
５．審判請求人の主張についての検討
（１）審判請求人は、審判請求書の請求の理由の欄において、本願発明について以下のア．ないしウ．に示す事項を主張する。
　ア．引用文献１は、通常持ち歩くリュックサックがライフジャケットとなるように構成したものであり、ライフジャケットとして使用する時にはリュックサックの本体のバッグ部分は分離させて捨てることになります。つまり引用文献１に記載の発明では、リュックサックをライフジャケットに構成することを目的にしており、そのためにリュックサックの本体のバッグ部分を分離させるものであり、大きさやデザイン等の異なるザック本体を備えつけることにより多様なリュックサックを構成することはまったく予定しておらず、本願発明とは発明の解決課題が異なります。
　　　これに対して、本願発明は、単一の背板状体に対し大きさやデザインなどを異ならせる種々のザック本体をスライドファスナーによって備えつけさせることにより、大きさやデザインなどを異ならせるリュックサックを容易かつ適切に構成させることができ、ひいては、多様なリュックサックを低廉に供給させることができるとの効果を奏し得るものです。
　イ．そして、本願発明は、この補助接続テープによって背板本体とザック本体との前記スライドファスナーによる接続状態を補強することができるとの効果を奏し得るものであり、かかる効果は、本願発明にあって顕著な効果であることが明らかです。
　ウ．このように、本願発明は引用文献のいずれにも記載されていない発明特定事項を有していると共にかかる発明特定事項に基づく顕著な効果を奏し得るものである。
　
（２）そこで、まず上記ア．の点について検討すると、本願の特許請求の範囲の請求項１には、「袋内部を収納空間とした袋状をなすザック本体と、表面に一対のショルダーベルトを備えると共に、裏面をザック本体の背面への接続面とした背板状体とを有しており、ザック本体の背面を巡る縁部のうち、少なくとも、その上縁部および左右縁部に亘って、雌雄をなすスライドファスナーを構成する一方ファスナーが設けられており、かつ、背板状体の接続面に、この雌雄をなすスライドファスナーを構成する他方ファスナーが設けられているリュックサックであって、前記背板状体の左右両側部にそれぞれ設けられた第一テープと、前記ザック本体の左右両側面にそれぞれ設けられると共に、対応する第一テープに対しバックルを介して接続される第二テープとによって、前記リュックサックの両側部にそれぞれ補助接続テープが設けられるようになっており、しかも、この補助接続テープの長さが調整可能となっていることを特徴とするリュックサック。」と記載されているのであり、審判請求人が主張する「単一の背板状体に対し大きさやデザインなどを異ならせる種々のザック本体をスライドファスナーによって備えつけさせること」という、単一の背板状体に対しスライドファスナーの接続により種々のザック本体を組合わせることができる旨の発明特定事項が、本願の特許請求の範囲の請求項１に記載されていないことは明らかである。
　　　したがって、審判請求人が主張するところの上記構成により、「本願発明は、大きさやデザインなどを異ならせるリュックサックを容易かつ適切に構成させることができ、ひいては、多様なリュックサックを低廉に供給させることができるとの効果を奏し得るものです。」という審判請求人が主張する作用効果は、本願の特許請求の範囲の請求項１における記載に基づくものではない。
　
（３）つぎに、上記イ．の点について検討すると、本願発明のような「この補助接続テープによって背板本体とザック本体との前記スライドファスナーによる接続状態を補強することができる」という作用効果を奏することができるようにするために、スライドファスナーによる接続状態を補強するための連結ベルトをスライドファスナーに併設しておくことは、その一例として、実願平３−９１４９２号（実開平５−３１６２６号）のＣＤ−ＲＯＭの刊行物に、スライドファスナ３と係止ベルト６ａ、６ｂとにより連結するようにしたリュクサックが記載されているように、本願特許出願時の周知慣用技術にすぎないものである。
　
（４）以上のとおりであるから、審判請求人の上記ア．及びイ．の主張には、もとより理由がない。
　　　したがって、審判請求人の「本願発明は引用文献のいずれにも記載されていない発明特定事項を有していると共にかかる発明特定事項に基づく顕著な効果を奏し得るものである。」という上記ウ．の主張は、採用することができない。
　
６．むすび
　以上のとおりであり、本願発明は特許法第２９条第２項の規定により特許を受けることができないから、本願は、拒絶すべきものである。
　よって、結論のとおり審決する。